(57)【要約】【課題】フェムトセルよりも大きなセルに位置する移動端末がフェムトセルへハンドオーバする際の、移動端末の処理負担を軽減する。【解決手段】第１のセルの中に複数の第２のセルが含まれる無線通信システムで第１のセルを形成する基地局装置が提供される。基地局装置は、受信部、位置情報記憶部、選択部、および、送信部を備える。受信部は、第１のセルに位置する移動端末から移動端末の位置を特定する情報を含む制御信号を受信する。位置情報記憶部は、複数の第２のセルの各々の位置を表す位置情報を記憶する。選択部は、移動端末の位置と位置情報を比較した結果に基づいて、第１のセルからの移動端末のハンドオーバ先となり得る周辺セルを、複数の第２のセルから選択する。送信部は、周辺セルを移動端末に通知する周辺セル通知メッセージを送信する。【選択図】図３
2012010065.tif 000002
【特許請求の範囲】
【請求項１】
第１のセルの中に複数の第２のセルが含まれる無線通信システムで前記第１のセルを形成する基地局装置であって、
前記第１のセルに位置する移動端末から前記移動端末の位置を特定する情報を含む制御信号を受信する受信部と、
前記複数の第２のセルの各々の位置を表す位置情報を記憶する位置情報記憶部と、
前記移動端末の位置と前記位置情報を比較した結果に基づいて、前記第１のセルからの前記移動端末のハンドオーバ先となり得る周辺セルを、前記複数の第２のセルから選択する選択部と、
前記周辺セルを通知する周辺セル通知メッセージを前記移動端末に送信する送信部
を備えることを特徴とする基地局装置。
【請求項２】
前記周辺セルを形成する基地局の各々に、報知信号の送信を要求する報知信号送信要求部と、
前記周辺セルの各々から前記移動端末が受信する受信電力の強度の測定の開始を、前記移動端末に要求する測定開始要求部をさらに備え、
前記測定開始要求部は、前記周辺セルを形成する基地局の各々に向けて前記報知信号の送信が要求された後に、前記移動端末に測定開始を要求する
ことを特徴とする請求項１に記載の基地局装置。
【請求項３】
前記移動端末がハンドオーバ先の基地局を検索する基地局検索周期を取得する検索周期取得部をさらに備え、
前記報知信号送信要求部は、前記周辺セルを形成する基地局の各々に、前記基地局検索周期以上の時間にわたって前記報知信号を送信することを要求する
ことを特徴とする請求項２に記載の基地局装置。
【請求項４】
第１のセルの中に複数の第２のセルが含まれる無線通信システムで前記第２のセルのうちの１つを形成する基地局装置であって、
前記第１のセルに位置する移動端末のハンドオーバ先となり得ることを通知すると共に、前記移動端末がハンドオーバ先の基地局を検索する基地局検索周期を通知する制御メッセージを、前記第１のセルを形成する基地局装置から受信すると、前記基地局検索周期よりも長い報知信号送信時間にわたって前記報知信号を送信する報知信号制御部と、
前記報知信号を用いて接続を確立した移動端末との間でデータを送受信する送受信部とを備え、
前記報知信号制御部は、前記報知信号送信時間の間に報知信号を用いて接続を確立した移動端末がない場合、前記報知信号の送信を停止する
ことを特徴とする基地局装置。
【請求項５】
第１のセルを形成する第１の基地局は、前記第１のセルに位置する移動端末から前記移動端末の位置を特定する情報を含む制御信号を受信し、
前記第１の基地局は、前記第１のセルの中に含まれる複数の第２のセルの各々の位置を表す位置情報を取得し、
前記第１の基地局は、前記位置情報を前記移動端末の位置と比較した結果に基づいて、前記第１のセルからの前記移動端末のハンドオーバ先となり得る周辺セルを、前記複数の第２のセルから選択し、
前記第１の基地局は前記周辺セルを前記移動端末に通知し、
前記移動端末は、前記第１のセルから前記周辺セルのうちの１つを形成する第２の基地局にハンドオーバする
ことを特徴とするハンドオーバ方法。
【請求項６】
前記第１の基地局は、前記位置情報に加えて、前記第１のセルに隣接する第３のセルに含まれる複数の第４のセルの位置をさらに取得し、
前記移動端末の位置と前記位置情報および前記複数の第４のセルの位置を比較した結果に基づいて、前記周辺セルを、前記複数の第２および第４のセルから選択し、
前記第１の基地局は、前記周辺セルを前記移動端末に通知し、
前記移動端末は、前記周辺セルのうちの１つを形成する基地局にハンドオーバする
ことを特徴とする請求項５に記載のハンドオーバ方法。
【発明の詳細な説明】
【技術分野】
【０００１】
本発明は、無線通信に用いられる基地局装置と移動端末のハンドオーバ方法に関する。
【背景技術】
【０００２】
近年、電波不感地帯を解消するために、例えば、地下道、商店、一般家庭などの屋内に、フェムトセル基地局などの小型の基地局が設置されることがある。また、都市部などでマクロセル内に位置するユーザ数の増加や、ユーザ１人あたりの通信量の増加に対応するために、マクロセルの中に複数のフェムトセル基地局が設置されることもある。さらに、フェムトセルはマクロセルなどに比べて狭いことから、ユーザの位置情報の特定に用いられることもある。このように、フェムトセルは様々な用途に用いられ、さらに普及することが見込まれている。
【０００３】
また、フェムトセルは通信エリアが小さく、収容できるユーザ数が少ないことから、通信エリアにユーザがいない状況はマクロセルよりも頻繁に発生することが考えられる。そこで、ユーザが通信エリア内にいない期間は、フェムトセルを構成する基地局の電力消費を抑える試みも行われている。例えば、通信エリアにユーザが存在すると制御信号を生成するフェムトセル基地局を設置し、制御信号を生成した基地局が構成するフェムトセルに隣接したフェムトセルを構成する基地局が無線信号の出力を開始するシステムが知られている。
【先行技術文献】
【特許文献】
【０００４】
【特許文献１】特開２００９−１５９３５５号公報
【発明の概要】
【発明が解決しようとする課題】
【０００５】
マクロセルのセル半径はフェムトセルのセル半径よりも大きい。このため、フェムトセルが普及すると、あるマクロセルの周辺に位置するフェムトセルの数も多くなると考えられる。また、１つのマクロセルの中に複数のフェムトセル基地局が設置されることもある。マクロセルに位置する移動端末には、ハンドオーバに際し、マクロセルの周辺に位置するフェムトセル又は他のマクロセルの情報や移動端末の位置するマクロセル中のフェムトセルの情報が通知される。しかし、マクロセルのセル半径は、移動端末からの信号が届く距離よりも長いため、通知されたセルには移動端末がハンドオーバできないセルが含まれる場合がある。この場合、移動端末はハンドオーバに使用することができない情報を取得してしまうために、移動端末に無駄な負担がかかるという問題がある。
【０００６】
なお、背景技術の欄では、マクロセルの中にフェムトセル基地局が設置されている場合について述べたが、フェムトセル基地局は、ピコセルやマイクロセルなど、マクロセルよりも小さくフェムトセルよりも大きい任意のセルの中に設置される可能性もある。このような場合においても、移動端末とフェムトセルを形成する基地局の間でのハンドオーバに際し、移動端末がハンドオーバできないセルの情報が移動端末に送信されないことが望ましい。
【０００７】
本発明は、フェムトセルよりも大きなセルに位置する移動端末がフェムトセルへハンドオーバする際の、移動端末の処理負担を軽減することを目的とする。
【課題を解決するための手段】
【０００８】
ある実施形態は、第１のセルの中に複数の第２のセルが含まれる無線通信システムで前記第１のセルを形成する基地局装置を提供する。基地局装置は、受信部、位置情報記憶部、選択部、および、送信部を備える。受信部は、前記第１のセルに位置する移動端末から前記移動端末の位置を特定する情報を含む制御信号を受信する。位置情報記憶部は、前記複数の第２のセルの各々の位置を表す位置情報を記憶する。選択部は、前記移動端末の位置と前記位置情報を比較した結果に基づいて、前記第１のセルからの前記移動端末のハンドオーバ先となり得る周辺セルを、前記複数の第２のセルから選択する。送信部は、前記周辺セルを通知する周辺セル通知メッセージを前記移動端末に送信する。
【発明の効果】
【０００９】
フェムトセルよりも大きなセルからフェムトセルへハンドオーバする移動端末の処理負担が軽減される。
【図面の簡単な説明】
【００１０】
【図１】実施形態にかかるシステムの例を示す図である。
【図２】フェムトセルの配置の一例を示す図である。
【図３】マクロセル基地局とフェムトセル基地局の構成の例を示す図である。
【図４】セル位置データベースの例を示す図である。
【図５】移動端末がマクロセルからフェムトセルにハンドオーバするときに行われる動作の例を説明するシーケンス図である。
【図６】周辺セル情報要求メッセージの一例を示す図である。
【図７】周辺セルテーブルの例を示す図である。
【図８】周辺セル情報通知メッセージの一例を示す図である。
【図９】フェムトセル基地局に報知信号の送信が要求されるときに行われる動作の例を説明するシーケンス図である。
【図１０】レジューム解除要求メッセージの一例を示す図である。
【図１１】レジューム解除通知メッセージの例を示す図である。
【図１２】レジューム解除要求メッセージを受信したときのフェムトセル基地局の動作の例を説明するシーケンス図である。
【図１３】レジューム設定通知メッセージの例を示す図である。
【図１４】第３の実施形態が適用される場合のセルの配置の例を示す図である。
【図１５】第３の実施形態に用いることができるシステムの例を示す図である。
【図１６】第３の実施形態で用いられるセル位置データベースの例を示す図である。
【図１７】第３の実施形態で行われる動作の例を説明するシーケンス図である。
【図１８】周辺セルリストの生成方法の例を説明する図である。
【図１９】マクロセル基地局のハードウェア構成の例を示す図である。
【図２０】フェムトセル基地局のハードウェア構成の例を示す図である。
【図２１】複数のマクロセル基地局がマクロセル内のフェムトセルの情報を交換するシステムの一例を示す図である。
【図２２】張り出し送受信装置を使用するシステムの例を示す。
【発明を実施するための形態】
【００１１】
以下、本実施形態について、図面を参照しながら詳細に説明する。以下の実施形態では、１つのマクロセルの中に複数のフェムトセル基地局が設置されている場合について説明する。なお、フェムトセル基地局はマクロセルの中に設置されている場合に限らず、例えば、マイクロセルやピコセルなどの中に設置されていても良いものとする。また、マクロセル基地局やフェムトセル基地局と通信する移動端末は、Global Positioning System（ＧＰＳ）、Assisted GPSなどの任意の方式で位置情報を算出できるものとする。
【００１２】
図１は、実施形態にかかるシステムの例を示す図である。マクロセル基地局１０はマクロセル（セルＣ１）を形成している。マクロセル基地局１０はアンテナ１１やセル位置データベース３１などを備えており、マクロセルに位置する移動端末２とアンテナ１１を介して通信する。また、マクロセル基地局１０は、マクロセルの中にフェムトセルを形成しているフェムトセル基地局４０（４０ａ、４０ｂ）と、例えば局間回線を介して通信することができる。さらに、マクロセル基地局１０は、コアネットワーク１を介してフェムトセル基地局４０などと通信することもできる。なお、図１はシステムの一例であり、例えば、マクロセル基地局１０が他のマクロセル基地局１０ａ（図示せず）とコアネットワーク１を介して接続される場合もある。この場合、マクロセル基地局１０は、コアネットワーク１を介してマクロセル基地局１０ａと通信することができる。
【００１３】
フェムトセル基地局４０は、アンテナ４１（４１ａ、４１ｂ）を備え、マクロセルの中にフェムトセル（図１のセルＣ２、Ｃ３）を形成する。移動端末２と接続を確立したマクロセル基地局１０は、移動端末２から移動端末２の位置を特定する情報を取得する。その後、マクロセル基地局１０は、セル位置データベース３１に含まれているデータベースなどのデータを参照して、移動端末２のハンドオーバ先となり得る周辺セルを選択する。以下の説明では、移動端末２が接続しているマクロセルから他のセルにハンドオーバするときにハンドオーバ先となり得るセルを「周辺セル」と記載することがある。
【００１４】
図２は、フェムトセルの配置の一例を示す図である。図２を参照しながら周辺セルの例を説明する。図２では、セルＣ１とセルＣ２０がマクロセルであり、セルＣ２〜Ｃ１２はフェムトセルであるものとする。また、移動端末２は、セルＣ１を形成する基地局に接続しているとする。この場合、ＵＥ１という識別子が付された移動端末２（端末ＵＥ１）の周辺セルは、セルＣ１の中に形成されているフェムトセルのうちで端末ＵＥ１のハンドオーバ先となる可能性があるフェムトセルである。ここでは、端末ＵＥ１の周辺セルは、セルＣ２〜Ｃ５であるものとする。
【００１５】
セルＣ１を形成するマクロセル基地局１０は、周辺セルがセルＣ２〜Ｃ５であることを端末ＵＥ１に通知する。ここで、マクロセル基地局１０は、例えば、セルＣ２〜Ｃ５の各々を識別する識別子を端末ＵＥ１に通知することができる。端末ＵＥ１は、セルＣ２〜Ｃ５の各々から受信する電力の強度を測定し、受信電力の強度が最も強いフェムトセル基地局４０と通信を確立する。このように、端末ＵＥ１は、端末ＵＥ１がハンドオーバすることができないフェムトセルに関する情報をマクロセル基地局１０から受信しない。すなわち、本実施形態によると、マクロセル基地局１０は、ハンドオーバに際して送信する情報を周辺セルに関する情報に限定するため、移動端末２の負担が小さくなる。
【００１６】
図３は、マクロセル基地局１０とフェムトセル基地局４０の構成の例を示す図である。マクロセル基地局１０は、アンテナ１１（図示せず）、送受信部１２、ベースバンド信号処理部１３、監視制御部１４、呼制御部２０、および、メモリ３０を備える。呼制御部２０は、選択部２１、報知信号送信要求部２２、測定開始要求部２３、検索周期取得部２４、Radio Resource Control（ＲＲＣ）制御部２５を備える。
【００１７】
アンテナ１１と送受信部１２により、マクロセル基地局１０は、移動端末２と通信する。送受信部１２は、搬送波を用いて、ベースバンド信号処理部１３で生成されたデータを移動端末２に送信する。また、送受信部１２は、移動端末２から受信した信号から搬送波を除去してベースバンド信号を取り出し、ベースバンド信号処理部１３に出力する。
【００１８】
監視制御部１４は、マクロセル基地局１０とフェムトセル基地局４０を結ぶ局間回線を用いて、フェムトセル基地局４０と通信する。監視制御部１４は、フェムトセル基地局４０に、例えば、報知信号の送信の要求やレジューム状態の解除を要求できる。また、監視制御部１４は、フェムトセル基地局４０から、フェムトセル基地局４０をレジューム状態に設定する旨の通知（レジューム設定通知メッセージ）やレジューム状態を解除した旨の通知（レジューム解除通知メッセージ）などを受信する。レジューム設定通知メッセージ等に含まれる情報要素やこれらのメッセージが用いられる動作については、後述する。
【００１９】
ここで、レジューム状態では、基地局は報知信号の送信を停止しているものとする。また、レジューム状態に設定されると、フェムトセル基地局４０は、例えば、監視制御部４４以外への電力供給を停止するなど、フェムトセル基地局４０が消費する電力量を減少させるものとする。フェムトセル基地局４０は、レジューム状態を解除しているときに、移動端末２と通信することができる。
【００２０】
監視制御部１４は、フェムトセル基地局４０から受信した通知や監視制御部１４が送信した通知などを用いて、フェムトセル基地局４０から報知信号が送信されているかを監視する。
【００２１】
メモリ３０は、セル位置データベース３１、周辺セルテーブル３２、セル情報データベース３３を備える。図４は、セル位置データベース３１の例を示す図である。セル位置データベース３１は、例えば、セルＩＤ、セルを形成する基地局の位置、セル半径などが含まれる。すなわち、セル位置データベース３１は、位置情報記憶部の一例である。
【００２２】
図４に示すセル位置データベース３１には、基地局の状態や基地局が分類されるグループの識別子が含まれているが、これらの情報はオプションであり、適宜、省略することができる。基地局の状態は、基地局がレジューム状態に設定されているかを示す。セル位置データベース３１に基地局の状態が含まれる場合、監視制御部１４は、フェムトセル基地局４０の各々についてレジューム状態に設定されているかをセル位置データベース３１に記録する。例えば、監視制御部１４は、フェムトセル基地局４０からレジューム設定通知メッセージを受信すると、基地局が通常運用されていることをセル位置データベース３１に登録する。セル位置データベース３１は、フェムトセル基地局４０に関する情報の他に、マクロセル基地局１０に関する情報も含む場合がある。なお、図４は、セル位置データベース３１の一例であり、セル位置データベース３１に含まれる情報要素は、実装に応じて変更されることがある。また、位置情報記憶部は、セルＩＤ、セルを形成する基地局の位置、セル半径などを任意の形式で記憶することができる。位置情報記憶部は、例えば、データベース以外のテーブルやリストなどの形式でもデータを記憶することができる。
【００２３】
周辺セルテーブル３２は、移動端末２の識別子と対応付けて、その移動端末２の位置の周辺に位置するセルの識別子や移動端末２からの距離を記録する。周辺セルテーブル３２は、後述するように、選択部２１により、セル位置データベース３１から生成される。
【００２４】
セル情報データベース３３は、マクロセルの中に形成されるフェムトセルに関する情報を記録する。例えば、セル情報データベース３３には、フェムトセルの識別子に対応付けて、そのフェムトセルを形成する基地局と移動端末２の通信に用いられる周波数に関する情報、セルの選択の優先度などのパラメータが記録されている。マクロセル基地局１０は、セル情報データベース３３から周辺セルの各々についての情報を抽出し、周辺セルを特定する情報と共に、移動端末２に通知する。
【００２５】
呼制御部２０は、移動端末２とマクロセル基地局１０との間の接続を制御する。ＲＲＣ制御部２５は、移動端末２から受信したデータから、移動端末２の位置を特定する情報を取得する。さらに、ＲＲＣ制御部２５は、周辺セルテーブル３２やセル情報データベース３３を用いて、移動端末２の周辺セルに関する情報を移動端末２に通知する。また、ＲＲＣ制御部２５は、マクロセル基地局１０と接続を確立した移動端末２に対する呼び出し制御や移動端末２への伝送路の設定なども行う。ＲＲＣ制御部２５は、これらの処理を、例えば、ＲＲＣプロトコルなどの任意のプロトコルを用いて行うことができる。
【００２６】
選択部２１は、移動端末２の位置とセル位置データベース３１に記録されている基地局の位置を比較し、移動端末２のハンドオーバ先となる可能性がある周辺セルを選択する。選択部２１は、セル位置データベース３１から選択した周辺セルに関する情報を周辺セルテーブル３２に記録する。周辺セルテーブル３２の例と使用方法については後述する。
【００２７】
報知信号送信要求部２２は、監視制御部１４を介して、周辺セルを形成するフェムトセル基地局４０に報知信号の送信を要求する。測定開始要求部２３は、送受信部１２を介して移動端末２に、測定開始要求メッセージを送信する。測定開始要求メッセージを受信すると、移動端末２は、周辺セルの各々からの受信電力の強さを測定する。
【００２８】
検索周期取得部２４は、ＲＲＣ制御部２５が取得したデータから、移動端末２がハンドオーバ先の基地局を検索する基地局検索周期を取得する。検索周期取得部２４は、取得した基地局検索周期を報知信号送信要求部２２に通知する。報知信号送信要求部２２は、基地局検索周期より長い時間にわたって報知信号を送信することを、周辺セルに要求する要求メッセージを生成することができる。
【００２９】
フェムトセル基地局４０は、アンテナ４１（図示せず）、送受信部４２、ベースバンド信号処理部４３、監視制御部４４、レジューム制御部４５、呼制御部５０、および、報知信号制御部５１を備える。フェムトセル基地局４０は、アンテナ４１を介してフェムトセルに位置する移動端末２と通信する。送受信部４２の動作は送受信部１２と同様である。また、ベースバンド信号処理部４３の動作はベースバンド信号処理部１３の動作と同様である。
【００３０】
監視制御部４４は、マクロセル基地局１０とフェムトセル基地局４０を結ぶ局間回線を用いて、レジューム設定通知メッセージやレジューム解除通知メッセージを送信するなど、監視制御部１４と通信する。
【００３１】
レジューム制御部４５は、監視制御部４４が受信した通知に従って、フェムトセル基地局４０での電力の消費量を調整する。例えば、監視制御部４４が監視制御部１４から報知信号の送信を要求するメッセージを受信すると、レジューム制御部４５は、フェムトセル基地局４０をレジューム状態から通常運用に変更する。レジューム制御部４５は、タイマ（図示せず）を備えることもでき、タイマに設定された時間の間だけ、フェムトセル基地局４０へのレジューム状態の設定を解除することができる。例えば、レジューム制御部４５は、監視制御部４４から通知された時間にタイマを設定し、タイマがタイムアップするまで、フェムトセル基地局４０のレジューム状態の設定を解除することができる。また、レジューム制御部４５は、フェムトセル基地局４０と移動端末２の間の制御チャネルの状況を監視する。レジューム制御部４５は、フェムトセル基地局４０がいずれの移動端末２とも通信していないことを検出すると、フェムトセル基地局４０をレジューム状態に設定する。
【００３２】
呼制御部５０は、移動端末２とフェムトセル基地局４０との間の接続を制御し、移動端末２に対する呼び出し制御や移動端末２への伝送路の設定などを行う。報知信号制御部５１は、レジューム状態が解除されると、報知信号を送信する。
【００３３】
＜第１の実施形態＞
図５は、移動端末２がマクロセルからフェムトセルにハンドオーバするときに行われる動作の例を説明するシーケンス図である。図５を参照しながら、マクロセル基地局１０の動作の例を詳しく説明するが、移動端末２やマクロセル基地局１０の動作は実装に応じて変更されることがある。例えば、以下の手順（１１）はオプションであり、手順（１１）を省略することもできる。
【００３４】
ここでは、移動端末２の識別子はＵＥ１であり、端末ＵＥ１は、図２に示すセルＣ１からセルＣ３にハンドオーバするものとする。また、端末ＵＥ１は、ＧＰＳにより位置情報を算出するものとする。第１の実施形態では、端末ＵＥ１のハンドオーバ先となり得るセルを形成するフェムトセル基地局４０は、いずれもレジューム状態に設定されていないものとする。後述するように、マクロセル基地局１０は、位置情報が通知された移動端末２の各々について個別に周辺セルを求める。すなわち、周辺セルや周辺セルテーブル３２の内容は、移動端末２ごとに異なる。そこで、以下の説明では、ＵＥ１の識別子が付された移動端末２を他の移動端末２と区別するために、ＵＥ１の識別子が付された移動端末２を端末ＵＥ１と記載することがある。
【００３５】
（１）端末ＵＥ１がセルＣ１を形成するマクロセル基地局１０と通信できる位置に移動する。
（２）セルＣ１を形成しているマクロセル基地局１０は、報知情報を送信する。端末ＵＥ１は、マクロセル基地局１０から送信された報知情報を受信する。ここで、報知情報には、セルＣ１の周辺やセルＣ１の中に位置するフェムトセルを特定する情報が含まれている。この時、マクロセル基地局１０は端末ＵＥ１の位置を知らないため、マクロセル基地局１０は、端末ＵＥ１の周辺セルではないセルについての情報を端末ＵＥ１に送信することがある。例えば、ここでは、セルＣ２、Ｃ７、Ｃ８、Ｃ１１、Ｃ２０の各々を特定する情報が含まれているものとする。
【００３６】
（３）端末ＵＥ１は、報知情報に含まれていたセルの情報を取得する。
（４）端末ＵＥ１は、マクロセル基地局１０に、端末ＵＥ１の位置を通知する情報を送信する。マクロセル基地局１０は、端末ＵＥ１の位置を登録して、端末ＵＥ１に応答メッセージを送信する。
【００３７】
（５）端末ＵＥ１とマクロセル基地局１０の間で制御データを送受信するためのチャネルが確立される。制御データを送受信するためのチャネルが確立されると、マクロセル基地局１０と端末ＵＥ１の間で、ＲＲＣプロトコルを用いたメッセージなどの制御メッセージの送受信が可能になる。
【００３８】
（６）端末ＵＥ１は、ＧＰＳにより、端末ＵＥ１の位置する地点の緯度と経度などの位置情報を取得する。ここでは、端末ＵＥ１は、北緯４５度５４分４０秒、東経１３５度１３分１２秒に位置するものとする。
【００３９】
（７）端末ＵＥ１は、周辺セル情報要求メッセージ６０をマクロセル基地局１０に送信する。図６は、周辺セル情報要求メッセージ６０の一例を示す図である。図６に示す周辺セル情報要求メッセージ６０には、宛先の基地局を識別する情報、送信元の移動端末２の識別子、移動端末２の位置情報、最大周辺セル情報数などが含まれる。宛先の基地局を識別する情報は、マクロセル基地局１０の識別子など、セルＣ１を形成するマクロセル基地局１０を一意に特定することができる任意の情報で良い。移動端末２の位置情報は手順（６）で求められた位置情報である。
【００４０】
最大周辺セル情報数は、移動端末２が情報を取得する周辺セルの数の上限値である。後述するように、マクロセル基地局１０は、最大周辺セル情報数以下の数の基地局についての情報を移動端末２に通知する。例えば、端末ＵＥ１の周辺セルが５つ選択された場合であっても、最大周辺セル情報数が３であれば、マクロセル基地局１０は、周辺セルとして選択されたセルのうちの３つのセルについての情報を端末ＵＥ１に通知する。
【００４１】
基地局検索周期は、移動端末２が、ハンドオーバ先とする基地局を検索する周期である。例えば、基地局検索周期の１周期分の時間は、移動端末２が周辺セル情報要求メッセージ６０を送信してから次の周辺セル情報要求メッセージ６０を送信するまでの時間とすることができる。
【００４２】
ＲＲＣプロトコルヘッダは、例えば、３ＧＰＰで規定されたＲＲＣプロトコルを用いたメッセージに付されるヘッダである。また、メッセージＩＤは、ＲＲＣプロトコルのメッセージの種類を示す識別子である。マクロセル基地局１０と移動端末２は、メッセージＩＤと制御メッセージの種類を対応付けて記憶しており、メッセージＩＤを用いて制御メッセージの種類を認識する。
【００４３】
（８）選択部２１は、周辺セル情報要求メッセージ６０に含まれている位置情報を用いてセル位置データベース３１を検索し、移動端末２のハンドオーバ先になり得る周辺セルを選択する。例えば、選択部２１は、移動端末２の位置の緯度および経度と、セル位置データベース３１に記録されているセルの中心位置の緯度および経度を比較し、差分が予め決定された閾値以下のフェムトセルを周辺セルとすることができる。また、選択部２１は、移動端末２の位置やセルの中心位置の緯度および経度に加えて、移動端末２とセル端の間の距離を用いて周辺セルを選択することもできる。
【００４４】
例えば、緯度および経度についての閾値がいずれも２秒である場合、北緯４５度５４分３８〜４２秒、東経１３５度１３分１０〜１４秒に中心が位置するセルは、端末ＵＥ１の周辺セルとなる。セル位置データベース３１より、セルＣ２〜Ｃ５は周辺セルの位置に当てはまるので、選択部２１は、セルＣ２〜Ｃ５を端末ＵＥ１の周辺セルとして選択し、周辺セルテーブル３２を生成する。
【００４５】
図７に周辺セルテーブル３２の例を示す。図７に示す周辺セルテーブル３２には、周辺セルの位置等の情報に加えて、移動端末２の識別子と、移動端末２とセル端の間の距離が含まれている。移動端末２とセル端の間の距離は、移動端末２からセルのうちで最も移動端末２に近いセル端までの距離である。選択部２１は、周辺セルの各々について、次式を用いて移動端末２とセル端の間の距離を算出する。
距離＝Ｌ−ｒ
【００４６】
ここで、Ｌは、移動端末２までの距離を求めるセルを形成している基地局と移動端末２の間の距離を表す。ｒは、移動端末２までの距離を求めるセルのセル半径を表す。従って、例えば、セルＣ３と移動端末２の間の距離は、セルＣ３を形成するフェムトセル基地局４０の位置と移動端末２の位置の間の距離から、セルＣ３のセル半径を差し引いた値である。なお、移動端末２とセル端の間の距離は、負の値やゼロを含めた任意の値をとることができる。例えば、移動端末２が距離を求めるセルの中に位置している場合、セル端までの距離は負の値であるが、移動端末２が距離を求めるセルの外に位置している場合、セル端までの距離は正の値である。
【００４７】
（９）ＲＲＣ制御部２５は、周辺セルテーブル３２に記録されている周辺セルを、端末ＵＥ１に通知する。図８は、周辺セル情報通知メッセージ６１の一例を示す図である。周辺セル情報通知メッセージ６１には、周辺セルに関する情報の他に、ＲＲＣプロトコルヘッダ、周辺セル情報通知メッセージ６１を表すメッセージＩＤ、送信元のマクロセル基地局１０と宛先の端末ＵＥ１を識別する情報が含まれている。周辺セルに関する情報は、図８の例では、周辺セル情報の数と、周辺セルの各々を特定するセルＩＤ、そのセルでの通信に用いられる周波数帯域などである。
【００４８】
ここで、選択された周辺セルの数が最大周辺セル情報数以下の場合、ＲＲＣ制御部２５は、全ての周辺セルについて各々のセルを特定する情報を移動端末２に通知する。一方、選択された周辺セルが最大周辺セル情報数より多い場合、ＲＲＣ制御部２５は、セル端までの距離が短いセルを優先的に移動端末２に通知する。例えば、ＵＥ１の識別子が付された移動端末２の最大周辺セル情報数が３であるとする。この場合、ＲＲＣ制御部２５は、セルＣ２、Ｃ３、Ｃ５を特定する情報を含む周辺セル情報通知メッセージ６１を、移動端末２に送信する。
【００４９】
（１０）移動端末２は、周辺セル情報通知メッセージ６１に含まれていた周辺セルの情報を取得し、手順（３）で取得した情報と置き換える。この手順により端末ＵＥ１は、端末ＵＥ１の周辺セル以外のセルについての情報を削除する。従って、ここでは、ＵＥ１の識別子が付された移動端末２は、セルＣ２、Ｃ３、Ｃ５を周辺セルとして認識している。
【００５０】
（１１）監視制御部１４は、フェムトセル基地局４０などから情報を取得した場合、取得した情報に基づいて、セル位置データベース３１を更新できる。
（１２）測定開始要求部２３は、端末ＵＥ１に、周辺セルの各々からの受信電力の強さの測定をするように要求する。
【００５１】
（１３）端末ＵＥ１は、周辺セルの各々から受信する電力の測定を開始する。移動端末２は、予め、受信電力の閾値を記憶している。端末ＵＥ１は、受信電力が閾値以上の電力を受信したセルを形成する基地局と接続を確立することができるものとする。受信電力の閾値の値は、実装に応じて任意に設定することができる。周辺セルのいずれからの受信電力も閾値より弱い場合、手順（６）〜（１１）の処理が繰り返され、端末ＵＥ１は定期的に周辺セルからの受信電力の強度を測定する。
【００５２】
（１４）受信電力が閾値以上のセルがある場合、端末ＵＥ１は、測定結果報告メッセージを送信して、閾値以上の電力を受信したセルをマクロセル基地局１０に通知する。例えば、端末ＵＥ１は、セルＣ２、Ｃ３からの受信電力が閾値以上であることをマクロセル基地局１０に通知する。
【００５３】
（１５）マクロセル基地局１０は、移動端末２から送信された測定結果報告メッセージに基づいて、移動端末２にハンドオーバを指示する。例えば、セルＣ３からの受信電力がセルＣ２の受信電力より強いと、マクロセル基地局１０は、セルＣ３からへのハンドオーバを指示する。
【００５４】
（１６）ハンドオーバにより、フェムトセル基地局４０と移動端末２の間に制御チャネルが設定される。また、マクロセル基地局１０と移動端末２の間の制御チャネルは解放される。
【００５５】
前述のとおり、手順（９）などで移動端末２に通知されるセルの情報は、移動端末２の周辺セルに関する情報である。従って、移動端末２がハンドオーバすることができない位置に設置されているセルの情報は手順（９）では移動端末２に通知されない。移動端末２は手順（９）で通知されたセルから受信する電力の強度を測定するので、本実施形態によると、移動端末２は、ハンドオーバすることができない位置に位置するセルから受信する電力の強度を測定しない。従って、移動端末２がハンドオーバできないセルに関する処理を行わない。さらに、最大周辺セル情報数の制限により、周辺セルでないセルが通知されて、本来ハンドオーバのための測定対象とすべきセルが端末に通知されないという状況を回避することもできる。
【００５６】
また、本実施形態によると、マクロセル基地局１０は、最大周辺セル情報数以下の数のセルに関する情報を移動端末２に通知する。従って、移動端末２に通知される情報は、移動端末２の処理能力を上回って移動端末２に負担がかかるという状況を回避することもできる。
【００５７】
＜第２の実施形態＞
第１の実施形態では、周辺セルを形成するフェムトセル基地局４０は、いずれもレジューム状態に設定されていない場合について説明したが、周辺セルのいずれかを形成するフェムトセル基地局４０がレジューム状態に設定される場合もある。そこで、第２の実施形態では、レジューム状態に設定されているフェムトセル基地局４０により形成されるセルが周辺セルに含まれている場合について説明する。以下の説明では、ＵＥ２という識別子が付された移動端末２が、マクロセル基地局１０からフェムトセル基地局４０ａにハンドオーバするものとする。また、ＵＥ２の周辺セルを構成する基地局は、フェムトセル基地局４０ａと４０ｂであるものとする。ここで、フェムトセル基地局４０ａと４０ｂのいずれも、レジューム状態に設定されているものとする。
【００５８】
図９は、マクロセル基地局１０がフェムトセル基地局４０ａと４０ｂに報知信号の送信を要求するときに行われる動作の例を説明するシーケンス図である。図９は、図５を参照しながら説明した手順（８）〜（１１）が行われる間に、フェムトセル基地局４０などによって行われる動作の例を示す。図９で図５と同じ手順の番号を付されている動作は、図５を参照しながら説明した手順と同様に行われる。手順（７）で周辺セル情報要求メッセージ６０が送信されると、手順（８）でマクロセル基地局１０はセル位置データベース３１を参照することにより、端末ＵＥ２の周辺セルテーブル３２を生成する。周辺セルテーブル３２には、フェムトセル基地局４０ａにより形成されるセルＣ２と、フェムトセル基地局４０ｂにより形成されるセルＣ３が含まれているものとする。
【００５９】
（２１）周辺セルテーブル３２が生成されると、報知信号送信要求部２２は、周辺セルを形成している基地局の各々に報知信号の送信を要求する。例えば、監視制御部１４は、報知信号送信要求部２２で生成されたレジューム解除要求メッセージ６２を、フェムトセル基地局４０ａと４０ｂのそれぞれの監視制御部４４に送信することにより、報知信号の送信を要求することができる。
【００６０】
図１０は、レジューム解除要求メッセージ６２の一例を示す図である。レジューム解除要求メッセージ６２は、局間信号プロトコルヘッダ、送信元と宛先の基地局の各々の識別子、メッセージＩＤ、端末ＵＥ２の基地局検索周期を含む。ここで、マクロセル基地局１０とフェムトセル基地局４０ａ、４０ｂは、予め、局間回線を介して受信する制御メッセージの種類とメッセージＩＤを対応付けて記憶しているものとする。
【００６１】
（２２ａ、２２ｂ）レジューム解除要求メッセージ６２を受信すると、監視制御部４４は、レジューム制御部４５にレジューム解除要求メッセージ６２を受信した旨と基地局検索周期を通知する。レジューム制御部４５は、基地局検索周期以上の時間にタイマを設定し、タイムアップするまで、フェムトセル基地局４０をレジューム状態から解除する。タイマの設定値は、基地局検索周期以上の任意の時間とすることができるが、以下の説明では、レジューム制御部４５は、予め設定された検索時間を基地局検索周期に加えた時間に、タイマを設定するものとする。
【００６２】
（２３）レジューム状態から解除されると、フェムトセル基地局４０ａと４０ｂの呼制御部５０に電力が供給される。フェムトセル基地局４０ａと４０ｂの報知信号制御部５１は、報知信号を送信する。
【００６３】
（２４）フェムトセル基地局４０ａと４０ｂは、マクロセル基地局１０にレジューム解除通知メッセージ６３を送信する。図１１にレジューム解除通知メッセージ６３の例を示す。レジューム解除通知メッセージ６３は、局間信号プロトコルヘッダ、送信元と宛先の基地局の各々の識別子、メッセージＩＤを含む。
【００６４】
以上の説明は、レジューム状態の解除方法の一例であり、マクロセル基地局１０やフェムトセル基地局４０の動作は、実装に応じて変更されることがある。例えば、図９では、レジューム制御部４５は、レジューム解除通知メッセージ６３の送信よりも前にタイマを設定して報知信号の送信を開始するが、タイマの設定や報知信号の送信の開始はレジューム解除通知メッセージ６３の送信後であっても良い。
【００６５】
マクロセル基地局１０は、移動端末２から周辺セル情報要求メッセージ６０を受信するごとに、周辺セルを形成するフェムトセル基地局４０に向けてレジューム解除要求メッセージ６２を送信する。従って、タイマがタイムアップする前に、フェムトセル基地局４０が新たにレジューム解除要求メッセージ６２を受信する場合がある。この場合、レジューム制御部４５は、タイマがタイムアップするまでの時間と、基地局検索周期を比較する。レジューム制御部４５は、基地局検索周期の方が、タイムアップするまでの時間よりも長い場合、タイマの設定値を、基地局検索周期と予め設定された検索時間の合計値に変更する。
【００６６】
図１２は、手順（２４）で設定された時間が経過する前に、フェムトセル基地局４０がレジューム解除要求メッセージ６２を受信したときに行われる動作の例を説明するシーケンス図である。図１２に示す動作のうち、手順（７）〜（１３）は図５、手順（２１）〜（２４）は図９を参照しながら述べた手順と同様である。図１２の例では、タイマの設定と報知信号の送信は、レジューム解除通知メッセージ６３が送信された後に行われるものとする。
【００６７】
（２５）フェムトセル基地局４０ａのレジューム制御部４５は、基地局検索周期と検索時間の合計値にタイマを設定し、タイマがタイムアップするまでフェムトセル基地局４０ａについて、レジューム状態の設定を解除する。フェムトセル基地局４０ｂのレジューム制御部４５も、同様に、レジューム状態の設定を解除する。
【００６８】
手順（２５）でタイマが設定された後、端末ＵＥ２は周辺セルの各々から受信する電力強度を測定する（手順（１３））。端末ＵＥ２は、基地局の検索を開始してから基地局検索周期の１周期が経過しても、閾値以上の電力を受信しない場合、マクロセル基地局１０に周辺セル情報要求メッセージ６０を再度送信する（手順（７ａ））。マクロセル基地局１０は、周辺セル情報要求メッセージ６０を受信すると、セル位置データベース３１に基づいて周辺セルテーブル３２を生成し、周辺セルにレジューム解除要求メッセージ６２を送信する（手順（８ａ）、（２１ａ））。
【００６９】
（２６）フェムトセル基地局４０ａは、新たに受信したレジューム解除要求メッセージ６２に含まれている基地局検索周期を取得する。さらに、レジューム制御部４５は、タイマがタイムアップするまでの時間を、新たに受信したレジューム解除要求メッセージ６２に記録されていた基地局検索周期と比較する。レジューム制御部４５は、基地局検索周期の方が、タイムアップするまでの時間よりも長い場合、タイマの設定値を、基地局検索周期と検索時間の合計値に変更する。フェムトセル基地局４０ｂも、４０ａと同様に動作する。
【００７０】
その後、端末ＵＥ２は、フェムトセル基地局４０ａから閾値以上の電力を受信したとする。すると、移動端末２は、マクロセル基地局１０に測定結果報告を送信する。端末ＵＥ２は、マクロセル基地局１０からフェムトセル基地局４０ａにハンドオーバすることを指示され、フェムトセル基地局４０ａとの間で接続を確立する。
【００７１】
（２７）フェムトセル基地局４０ａは、タイマがタイムアウトすると、フェムトセル基地局４０ａに接続している移動端末２があるかを確認する。フェムトセル基地局４０ａと端末ＵＥ２との接続が継続している場合は、フェムトセル基地局４０ａの運用が継続される。
【００７２】
（２８）フェムトセル基地局４０ｂは、タイマがタイムアウトすると、フェムトセル基地局４０ｂと接続している移動端末２があるかを確認する。フェムトセル基地局４０ｂに接続している移動端末２がある場合、フェムトセル基地局４０ｂは、運用を継続する。
【００７３】
（２９）フェムトセル基地局４０ｂに接続している移動端末２がない場合、フェムトセル基地局４０ｂは、マクロセル基地局１０にレジューム設定通知メッセージ６４を送信する。レジューム設定通知メッセージ６４の例を図１３に示す。レジューム設定通知メッセージ６４は、局間信号プロトコルヘッダ、送信元と宛先の基地局の各々の識別子、メッセージＩＤを含む。
【００７４】
（３０）フェムトセル基地局４０ｂのレジューム制御部４５は、レジューム設定通知メッセージ６４をマクロセル基地局１０に送信した後、フェムトセル基地局４０ｂをレジューム状態に設定する。
【００７５】
（３１）マクロセル基地局１０は、レジューム設定通知メッセージ６４を受信すると、フェムトセル基地局４０ｂがレジューム状態であることを記録する。なお、手順（１１）と同様に、手順（３１）もオプションであり、適宜、省略することもできる。
【００７６】
フェムトセル基地局４０を周辺セルとした受信電力測定が行われておらず、さらに、フェムトセル基地局４０と接続している移動端末２も存在しない場合には、フェムトセル基地局４０は、使用されていない。使用されていない状態では、フェムトセル基地局４０は、レジューム状態に移行することにより消費電力を小さくすることができる。本実施形態では、移動端末２が周辺セルからの受信電力の測定を開始する前に、マクロセル基地局１０から周辺セルを形成するフェムトセル基地局４０に向けて、報知信号の送信を要求するレジューム解除要求メッセージ６２が送信される。従って、タイマがタイムアップしていれば、フェムトセル基地局４０は、そのフェムトセル基地局４０を周辺セルとした受信電力測定が行われていないと判定することができる。また、フェムトセル基地局４０は、フェムトセル基地局４０に接続している移動端末２があるかを認識している。従って、そのフェムトセル基地局４０を周辺セルとした受信電力測定が行われておらず、さらに、フェムトセル基地局４０に接続されている移動端末２が存在しない場合、フェムトセル基地局４０はレジューム状態に移行することができる。
【００７７】
本実施形態によると、レジューム解除要求メッセージ６２が送信されるまでフェムトセル基地局４０をレジューム状態に設定することにより、フェムトセル基地局４０での消費電力を小さくすることができる。また、レジューム解除要求メッセージ６２の受信を契機として、フェムトセル基地局４０は報知信号を送信するため、フェムトセル基地局４０がレジューム状態に設定されても、移動端末２のハンドオーバや通信を妨げる恐れが無い。
【００７８】
ところで、移動端末は、電源が切られている間に移動する場合もあるため、移動端末の電源が切られている間にフェムトセル中に移動端末が入り、フェムトセルの中で移動端末の電源が投入される場合も考えられる。さらに、移動端末２が位置するフェムトセルを形成するフェムトセル基地局４０がレジューム状態である場合もある。この場合でも、移動端末が位置するセルを構成するフェムトセル基地局４０は、マクロセル基地局１０からレジューム解除要求メッセージ６２を受信することを契機として報知信号を送信することができる。従って、かかる場合でも、図１０や図１２で説明した手順により、移動端末２はフェムトセル基地局４０にハンドオーバすることができ、移動端末２の通信は妨げられない。
【００７９】
以上述べたように、フェムトセル基地局４０が使用されていない時間にレジューム状態に設定され、報知信号などの信号を送信しないことにより、フェムトセル基地局４０が他のセルに与える干渉の影響を小さくすることもできる。例えば、セルＣ２を形成するフェムトセル基地局４０がレジューム状態に設定される場合、セルＣ２の周辺に位置する他のフェムトセルや、Ｃ２とオーバレイして設置されているマクロセルＣ１などに及ぼす干渉が小さくなる。
【００８０】
また、移動端末２に通知される周辺セルの選択は第１の実施形態と同様に行われるため、移動端末２に通知される周辺セルの情報には、移動端末２がハンドオーバすることができない位置に設置されているセルの情報は含まれていない。従って、第２の実施形態においてもハンドオーバできないセルに関する処理による移動端末２の処理負荷の増大を防ぐことができる。
【００８１】
＜第３の実施形態＞
第３の実施形態では、第１のマクロセルに位置する移動端末２は、第１のマクロセルの中に設置されたフェムトセルの情報だけでなく、第２のマクロセルの中に設置されたフェムトセルの情報も取得することができる。
【００８２】
図１４は、第３の実施形態が適用される場合のセルの配置の例を示す図である。図１４の例では、Ｃ２０、Ｃ３０、Ｃ４０の３つのマクロセルの中に、Ｃ２１〜Ｃ２５、Ｃ３１〜Ｃ３６、Ｃ４１〜Ｃ４４のフェムトセルが形成されているものとする。
【００８３】
以下の説明では、あるフェムトセルを含み、そのフェムトセルの情報を含むセル情報データベース３３を保持しているマクロセルのことをそのフェムトセルの「親セル」と記載することがある。例えば、フェムトセルＣ２１は、マクロセルＣ２０の中に形成され、Ｃ２０を形成するマクロセル基地局がＣ２１の通信に用いられる周波数帯域などの情報を含むセル情報データベース３３を保持しているとする。この場合、マクロセルＣ２０は、フェムトセルＣ２１の親セルである。
【００８４】
さらに、以下の説明では、あるフェムトセルを含むが、そのフェムトセルの情報を保持していないマクロセルのことを、そのフェムトセルの「準親セル」と記載することがある。例えば、フェムトセルＣ３３は、マクロセルＣ４０とマクロセルＣ３０のいずれにも含まれる。ここで、Ｃ４０を形成するマクロセル基地局は、Ｃ３３の通信に用いられる周波数帯域などの情報を保持していないとする。この場合、マクロセルＣ４０は、フェムトセルＣ３３の準親セルである。
【００８５】
図１５は、第３の実施形態に用いることができるシステムの例を示す図である。第３の実施形態では、マクロセル基地局７０とSelf Organizing Network（ＳＯＮ）サーバ８０が用いられる。マクロセル基地局７０によって形成されたマクロセルの中に、フェムトセル基地局４０によりフェムトセルが形成される。フェムトセル基地局４０は、第１および第２の実施形態で述べたとおりの構成とすることができる。
【００８６】
マクロセル基地局７０は、アンテナ１１（図示せず）、送受信部１２、ベースバンド信号処理部１３、監視制御部１４、メモリ７１、呼制御部７２を備える。呼制御部７２は、測定開始要求部２３とＲＲＣ制御部２５を備える。アンテナ１１、送受信部１２、ベースバンド信号処理部１３、監視制御部１４、測定開始要求部２３、ＲＲＣ制御部２５の動作は、第１および第２の実施形態と同様である。メモリ７１は、適宜、呼制御部７２や監視制御部１４などの処理に用いられ、データ等を記憶する。メモリ７１は、セル情報データベース３３を記録している。セル情報データベース３３には、マクロセル基地局７０が形成するマクロセルを親セルとしているフェムトセルとの通信で用いられる情報が記録されている。
【００８７】
ＳＯＮサーバ８０は、制御部８１、選択部８２、報知信号送信要求部８３、検索周期取得部８４、メモリ９０を備え、メモリ９０にセル位置データベース９１と周辺セルリスト９２を備える。制御部８１は、セル位置データベース９１の更新やＳＯＮサーバ８０の制御などを行う。選択部８２は、セル位置データベース９１に含まれているデータから周辺セルリスト９２を生成する。
【００８８】
図１６は、第３の実施形態で用いられるセル位置データベース９１の例を示す図である。図１６の例では、Ｃ２０、Ｃ３０、Ｃ４０の３つのマクロセルとそれらの中に設置されているフェムトセルについての情報が、セル位置データベース９１に記録されている。セル位置データベース９１は、セルの識別子、セルの位置、セル半径、親セルＩＤ、準親セルＩＤを記録する。マクロセルについては、親セルは存在しないため、親セルＩＤは記録されない。セル位置データベース９１では、複数のマクロセルの位置関係を記録するために、あるマクロセルに隣接するマクロセルのＩＤが準親ＩＤの欄に記録される。例えば、マクロセルＣ２０は、図１４に示すように、Ｃ３０とＣ４０の２つのマクロセルと隣接している。そこで、Ｃ２０のセルに対応付けられた準親ＩＤの欄に、Ｃ３０とＣ４０が記録される。なお、図１６は、セル位置データベース９１の一例であり、セル位置データベース３１に含まれる情報要素は、実装に応じて変更されることがある。例えば、図１６では、２つの準親セルＩＤが記録されているが、１つのフェムトセルについて準親セルが３つ以上ある場合は、準親セルＩＤを３つ以上記録することができる。また、セル位置データベース９１は、図４に示したセル位置データベース３１と同様に、基地局の状態や基地局のグループを記録することもできる。
【００８９】
図１７は、第３の実施形態で行われる動作の例を説明するシーケンス図である。図１７を参照しながら、ＵＥ３の識別子が付された移動端末２のハンドオーバのために行われる動作を説明する。なお、図１７は手順の一例である。例えば、手順（４９）は手順（４７）の前に行われる場合もある。
【００９０】
（４１）移動端末２は、周辺セル情報要求メッセージ６０をマクロセル基地局７０に送信する。以下の説明では、例として、マクロセルＣ４０を形成しているマクロセル基地局７０ａに接続している端末ＵＥ３が、周辺セル情報要求メッセージ６０を送信したものとする。また、端末ＵＥ３の位置は、ＰＭであるものとする。ここで、周辺セル情報要求メッセージ６０は、第１の実施形態と同様の構成とすることができる。
【００９１】
（４２）マクロセル基地局７０ａは、局間回線を用いて、周辺セル情報要求メッセージ６０をＳＯＮサーバ８０に転送する。または、マクロセル基地局７０ａは、移動端末２の位置、基地局検索周期、最大周辺セル情報数などを通知するメッセージをＳＯＮサーバ８０に送信することもできる。いずれの場合も、マクロセル基地局７０は、送信元の基地局を識別する識別子をＳＯＮサーバ８０に通知する。ここでは、マクロセル基地局７０ａは、Ｃ４０を送信元の基地局の識別子としてＳＯＮサーバ８０に通知する。
【００９２】
（４３）選択部８２は、マクロセル基地局７０ａから受信した情報に基づいて、セル位置データベース９１を検索し、周辺セルリスト９２を生成する。図１８を参照しながら、周辺セルリスト９２が生成される場合の選択部８２の動作の例を述べる。
【００９３】
選択部８２は、移動端末２がＣ４０の識別子が付されたセルに位置すると判断し、セル位置データベース９１から、親セルＩＤもしくは準親セルＩＤにＣ４０が含まれているセルを選択する。図１８（ａ）は、親セルＩＤもしくは準親セルＩＤにＣ４０が含まれているセルを選択して得られたテーブルの例を示す。
【００９４】
次に、選択部８２は、選択したセルの各々について、移動端末２とセル端の間の距離を算出する。移動端末２とセル端の間の距離の算出方法は、第１の実施形態で説明したとおりである。図１８（ｂ）に、移動端末２とセル端の間の距離を算出した結果を示す。
【００９５】
選択部８２は、算出した距離が短い順にセルＩＤと距離の組み合わせを並べ替える。例えば、Ｄ４４＜Ｄ４０＜Ｄ２０＜Ｄ２３＜Ｄ３０＜Ｄ３２＜Ｄ４３＜Ｄ４２＜Ｄ３３＜Ｄ４１の順に移動端末２からセル端までの距離が長くなる場合、図１８（ｃ）に示すように、並べ替えられる。選択部８２は、並べ替えたデータから最大周辺セル情報数以下の数のセルに関するデータを選択して周辺セルリスト９２を生成する。例えば、最大周辺セル情報数が５である場合の周辺セルリスト９２を、図１８（ｃ）に点線で示す。
【００９６】
（４４）検索周期取得部８４は、マクロセル基地局７０ａから通知された情報から、移動端末２の基地局検索周期を取得して、報知信号送信要求部８３に通知する。報知信号送信要求部８３は、局間回線を介して、周辺セルリスト９２に含まれているフェムトセルを形成する基地局の各々に、レジューム解除要求メッセージ６２を送信する。図１７では、見やすくするために１つのフェムトセル基地局４０しか記載していないが、レジューム解除要求メッセージ６２が送信されるフェムトセル基地局４０の数は、周辺セルリスト９２に含まれるフェムトセルの数と同数である。例えば、図１８（ｃ）に示す周辺セルリスト９２が生成されると、報知信号送信要求部８３は、セルＣ４４を形成するフェムトセル基地局４０ｃと、セルＣ２３を形成するフェムトセル基地局４０ｄに向けてレジューム解除要求メッセージ６２を送信する。
【００９７】
（４５）一方、周辺セルリスト９２に含まれているマクロセル基地局７０には、制御部８１がそのマクロセルが親セルとなっているフェムトセルのうち、周辺セルリスト９２に含まれているフェムトセルの識別子を通知する。さらに、制御部８１は、周辺セル情報要求メッセージ６０を出力した移動端末２が接続しているセルも通知する。例えば、制御部８１は、Ｃ２０のマクロセルを形成するマクロセル基地局７０ｂに、Ｃ２３が周辺セルリスト９２に含まれていることと、ＵＥ３の識別子が付された移動端末２がＣ４０のマクロセルに接続していることを通知する。なお、手順（４５）の通知も、周辺セルリスト９２に含まれているマクロセルを形成するマクロセル基地局７０の数だけ行われるものとする。
【００９８】
（４６）ＳＯＮサーバ８０は、周辺セルリスト９２を、マクロセル基地局７０ａに送信する。
（４７）フェムトセル基地局４０は、レジューム解除要求メッセージ６２を受信すると、レジューム状態を解除し、レジューム解除通知メッセージ６３をＳＯＮサーバ８０に送信する。
【００９９】
（４８）フェムトセル基地局４０は、レジューム解除要求メッセージ６２で通知された基地局検索周期よりも長い時間にタイマを設定する。
（４９）手順（４５）で通知を受け取ったマクロセル基地局７０ｂは、通知されたフェムトセルについてのセル情報を、セル情報データベース３３から抽出する。次に、マクロセル基地局７０ｂは、移動端末２が接続しているマクロセル基地局７０ａに、抽出したセルの情報を通知する。例えば、Ｃ２０のセルを形成するマクロセルは、Ｃ２３のフェムトセルについてセル情報データベース３３に記録されている情報を、セル識別子と対応付けてマクロセル基地局７０ａに通知する。また、Ｃ２０のセルと移動端末２が通信するときに用いられる情報も、セル識別子と対応づけてマクロセル基地局７０ａに通知する。この手順により、マクロセル基地局７０ａ（Ｃ４０）に、マクロセル基地局７０ａとは異なるマクロセル基地局７０が親セルとなっているフェムトセルで使用される周波数、優先度などの情報が通知される。
【０１００】
（５０）マクロセル基地局７０ａは、周辺セルリスト９２と、周辺セルリスト９２に含まれる各々のセルについての識別子、使用される周波数、優先度などの情報を端末ＵＥ３に通知する。
【０１０１】
（５１）〜（５５）の手順は第１の実施形態で述べた手順（１２）〜（１６）と同様である。
第３の実施形態を用いることにより、移動端末２は、移動端末２が接続しているマクロセルとは異なるマクロセルの中に設置されているフェムトセルへハンドオーバすることができる。また、移動端末２のハンドオーバに際しては、第１の実施形態と同様に、移動端末２がハンドオーバできないセルについての情報は、移動端末２に通知されない。また、周辺セルとなっているフェムトセルにはレジューム解除要求メッセージ６２が通知されるので、第２の実施形態で述べたように、フェムトセルが使用されていない場合にレジューム状態になっていてもハンドオーバに支障が起こらない。
【０１０２】
＜ハードウェア構成＞
図１９は、マクロセル基地局１０のハードウェア構成の例を示す図である。マクロセル基地局１０は、アンテナ１０１、アンプ１０２、ベースバンド部１０３、Central Processing Unit（ＣＰＵ）１０４、メモリ１０５、伝送路インタフェース１０６を備える。マクロセル基地局１０は、アンテナ１０１を介して移動端末２と通信する。また、アンテナ１０１とアンプ１０２は、アンテナ１１および送受信部１２として動作する。ベースバンド部１０３は、ベースバンド信号処理部１３として動作する。ＣＰＵ１０４は、メモリ１０５に記憶されているプログラムを実行することにより、呼制御部２０、７２として動作する。メモリ１０５は、メモリ３０、７１に対応し、プログラム、セル位置データベース３１、周辺セルテーブル３２、セル情報データベース３３等を記憶する。マクロセル基地局１０は、伝送路インタフェース１０６を介してコアネットワーク１との通信や局間回線を介した通信を行う。従って、ＣＰＵ１０４と伝送路インタフェース１０６とによって、監視制御部１４の動作が実現される。
【０１０３】
図２０は、フェムトセル基地局４０のハードウェア構成の例を示す図である。フェムトセル基地局４０は、アンテナ４０１、アンプ４０２、ベースバンド部４０３、ＣＰＵ４０４、伝送路インタフェース４０５を備える。なお、図２０は、フェムトセル基地局４０の構成の一例であり、例えば、メモリ（図示せず）を含むなどの構成の変更が行われることがある。フェムトセル基地局４０は、アンテナ４０１を介して移動端末２と通信する。また、フェムトセル基地局４０は、伝送路インタフェース４０５を介してコアネットワーク１との通信や局間回線を介した通信を行う。さらに、アンテナ４０１とアンプ４０２は、アンテナ４１および送受信部４２として動作する。ベースバンド部４０３は、ベースバンド信号処理部４３として動作する。ＣＰＵ４０４は、フェムトセル基地局４０に読み込まれたプログラムを実行することにより、呼制御部５０として動作する。さらに、ＣＰＵ４０４と伝送路インタフェース４０５とによって、監視制御部４４の動作が実現される。
【０１０４】
＜その他＞
なお、実施形態は上記に述べたものに限らず、様々に変形可能である。以下にその例をいくつか述べる。
【０１０５】
図５の手順（８）で説明した周辺セルテーブル３２の生成は、一例であり、周辺セルテーブル３２は、他の方法により生成されることがある。例えば、選択部２１は、セル位置データベース３１に含まれている個々のフェムトセルについて、移動端末２とセル端の間の距離を算出することにより周辺セルを選択することもできる。この場合、選択部２１は、移動端末２とセル端の間の距離が短いフェムトセルを優先的に、周辺セルテーブル３２に含めることができる。さらに、周辺セルテーブル３２に情報が記録されるセルの数を最大周辺セル情報数と同数にすることもできる。例えば、図４に示したセル位置データベース３１では、セルＣ２〜Ｃ１２の各々について端末ＵＥ１とセル端の間の距離を計算する。端末ＵＥ１の最大周辺セル情報数が３の場合、セルＣ２、Ｃ３、Ｃ５の３つのセルについての情報が周辺セルテーブル３２に記録される。なお、第１の実施形態と同様に、第２の実施形態でも、同様の方法により周辺セルテーブル３２を生成することができる。
【０１０６】
図２１は、複数のマクロセル基地局１０がマクロセル内のフェムトセルの情報を交換するシステムの一例を示す。マクロセル基地局１０ｃと接続している移動端末２（ＵＥ４）は、マクロセル基地局１０ｃに周辺セル情報要求メッセージ６０を送信する。マクロセル基地局１０ｃは、セル位置データベース３１ｃを参照してＵＥ４の周辺セルテーブル３２ｃを生成する。
【０１０７】
さらに、マクロセル基地局１０ｃは、マクロセル基地局１０ｄに、移動端末２の位置を通知し、移動端末２の近傍に位置するフェムトセルの情報を要求する。マクロセル基地局１０ｄは、セル位置データベース３１ｄを参照して、周辺セルテーブル３２ｄを生成し、マクロセル基地局１０ｃに送信する。
【０１０８】
マクロセル基地局１０ｃは、セル位置データベース３１ｃと３１ｄに記録されているフェムトセルのうち、最大周辺セル情報数以下の数のセルに関するデータを移動端末２に通知する。このとき、マクロセル基地局１０ｃは、セル位置データベース３１ｃと３１ｄに記録されているフェムトセルの各々について、移動端末２からの距離を比較し、移動端末２に近いフェムトセルを優先的に移動端末２に通知する。例えば、図２１の例では、ＵＥ４の移動端末２に、セルＣ５１とＣ６２が通知される。従って、本実施形態でも第３の実施形態と同様に、ＵＥ２は、セルＣ５１だけでなくＣ６２をハンドオーバ先とすることができる。
【０１０９】
図２２は、フェムトセルを使用せずに張り出し送受信装置を使用するシステムの例を示す。商業ビルなどでは、ビル内の各店舗に配置する小型基地局として、フェムトセルを使用せずに、小型の張り出し送受信装置１６（１６ａ〜１６ｄ）を使用する場合がある。張り出し送受信装置１６はマクロセル基地局１０の送受信部１２を複数に分けて各々を、マクロセル基地局１０の外部に設定される別の装置としたものである。張り出し送受信装置１６ａ〜１６ｄはそれぞれ光ケーブル等でマクロセル基地局１０と接続される。ここで、張り出し送受信装置１６は、マクロセル基地局１０が管理するセルの数とすることができる。マクロセル基地局１０は、張り出し送受信装置１６の各々について、移動端末２と通信しているかを確認する。監視制御部１４は、張り出し送受信装置１６が移動端末２と通信していないとき、その張り出し送受信装置１６をレジューム状態に設定する。マクロセル基地局１０と接続している移動端末２の位置がレジューム状態に設定されている張り出し送受信装置１６の近傍になると、マクロセル基地局１０は、張り出し送受信装置１６のレジューム状態の設定を解除する。
【０１１０】
第３の実施形態において、セル情報データベース３３をＳＯＮサーバ８０が保持することもできる。この場合、ＳＯＮサーバ８０は、ＳＯＮサーバ８０と接続されているマクロセル基地局１０の各々からセル情報データベース３３を取得している。ＳＯＮサーバ８０は、ある移動端末２についての周辺セルを形成するフェムトセル基地局４０を特定すると、その移動端末２が接続しているマクロセル基地局１０にフェムトセル基地局４０の周波数帯域などの情報を通知する。
【０１１１】
また、セル位置データベース３１は、図４に示したように、オプションとして、基地局により形成されるセルが含まれるグループのＩＤなどを記録することもできる。セルが複数のグループに分けられている場合、例えば、グループＩＤが一致しているセル間でハンドオーバすることができるなど、グループＩＤに応じて移動端末２の通信を制限することができる。例えば、端末ＵＥ１について図７に示す周辺セルテーブル３２が得られ、端末ＵＥ１のグループＩＤは２０００２３２であるとする。この場合、マクロセル基地局１０は、端末ＵＥ１に、Ｃ２〜Ｃ５の４つのセルを通知することができる。一方、端末ＵＥ１のグループＩＤが２０００３２２である場合、マクロセル基地局１０は端末ＵＥ１に、セルＣ２とＣ５を通知する。
【符号の説明】
【０１１２】
１  コアネットワーク
２  移動端末
１０、７０  マクロセル基地局
１１、４１  アンテナ
１２、４２  送受信部
１３、４３  ベースバンド信号処理部
１４、４４  監視制御部
１６  張り出し送受信装置
２０、５０、７２  呼制御部
２１、８２  選択部
２２、８３  報知信号送信要求部
２３  測定開始要求部
２４、８４  検索周期取得部
２５  ＲＲＣ制御部
３０、７１、９０  メモリ
３１、９１  セル位置データベース
３２  周辺セルテーブル
３３  セル情報データベース
４０  フェムトセル基地局
５１  報知信号制御部
８０  ＳＯＮサーバ
８１  制御部
９２  周辺セルリスト
【図３】
2012010065.tif 000003
【図４】
2012010065.tif 000004
【図５】
2012010065.tif 000005
【図６】
2012010065.tif 000006
【図７】
2012010065.tif 000007
【図８】
2012010065.tif 000008
【図９】
2012010065.tif 000009
【図１０】
2012010065.tif 000010
【図１１】
2012010065.tif 000011
【図１２】
2012010065.tif 000012
【図１３】
2012010065.tif 000013
【図１４】
2012010065.tif 000014
【図１５】
2012010065.tif 000015
【図１６】
2012010065.tif 000016
【図１７】
2012010065.tif 000017
【図１８】
2012010065.tif 000018
【図１】
2012010065.tif 000019
【図２】
2012010065.tif 000020
【図１９】
2012010065.tif 000021
【図２０】
2012010065.tif 000022
【図２１】
2012010065.tif 000023
【図２２】
2012010065.tif 000024